(57)【要約】【課題】目視による入力確認作業を軽減し、歩行などの動作中の文字入力を支援する。【解決手段】複数のキーを操作して入力を行う携帯端末装置の入力確認支援システムに、複数のキーの操作に対して、各種の情報のグループが対応し、同一のキー操作毎にグループ内の情報が巡回するグループの情報をそれぞれ格納する各キーと情報入力の対応格納部１１２Ａと、各キーと情報入力の対応格納部に格納されている各グループの情報を識別するポジションを格納する情報のポジション格納部１１２Ｂ、１１２Ｃ、１１２Ｄ、１１２Ｅと、情報のポジション格納部に格納されているポジションに対応してリアクションを行うリアクション部１１９、１２０と、１つのキーの操作で情報が入力された場合、入力された情報に対応するポジションをポジション格納から読み出しリアクション部にポジションに応じたリアクションを行わせる入力確認支援部１１１Ａとを備える。【選択図】図１
2005196424.tif 000002
【特許請求の範囲】
【請求項１】
複数のキーを操作して入力を行う携帯端末装置の入力確認支援システムにおいて、
複数のキーの操作に対して、各種の情報のグループが対応し、同一のキー操作毎にグループ内の情報が巡回するグループの情報をそれぞれ格納する各キーと情報入力の対応格納部と、
前記各キーと情報入力の対応格納部に格納されている各グループの情報を識別するポジションを格納する情報のポジション格納部と、
前記情報のポジション格納部に格納されている前記ポジションに対応してリアクションを行うリアクション部と、
１つのキーの操作で情報が入力された場合、入力された情報に対応するポジションを前記ポジション格納から読み出し前記リアクション部にポジションに応じたリアクションを行わせる入力確認支援部とを備えることを特徴とする携帯端末装置の入力確認支援システム。
【請求項２】
複数のキーを操作して入力を行う携帯端末装置の入力確認支援システムにおいて、
「０」キーから「９」キーの数字キーの各操作に対応して文字が入力され、同一の数字キーの操作毎に文字が巡回し、代表キーとして「通信」キーの操作毎に大文字／小文字が切り替わり、代表キーとして「＃」キーの操作毎に濁点／半濁点の付加が切り替わるひらがな文字の各行を格納する各キーと文字入力の対応格納部と、
前記各キーと文字入力の対応格納部に格納されているひらがな文字の各行の文字を識別するポジション値０、１、２、３、４を格納する文字の基本ポジション格納部と、
ひらがな文字のうち大文字／小文字の切り替えに無関係な文字、大文字に切り替えられる文字、小文字に切り替えられる文字を識別するポジション値０、１、２をそれぞれ格納する大文字／小文字のポジション格納部と、
ひらがな文字のうち濁点／半濁点の付加の切り替えに無関係な文字、濁点を付加する文字、半濁点を付加する文字を識別するポジション値０、１、２をそれぞれ格納する濁点／半濁点のポジション格納部と、
前記文字の基本ポジション格納部、前記大文字／小文字のポジション格納部、前記濁点／半濁点のポジション格納部に格納されている前記ポジション値に対応する回数のバイブレーションをリアクションとして行うバイブレーション部と、
「０」キーから「９」キー、「通信」キー、「＃」キーのいずれか１つのキーの操作で、ひらがな文字の入力の情報、大文字／小文字の切り替え情報、濁点／半濁点の付加の切り替え情報が入力された場合、入力された文字情報に対応するポジション値を、前記文字の基本ポジション格納部、前記大文字／小文字のポジション格納部、前記濁点／半濁点のポジション格納部から読み出し前記バイブレーション部にポジション値に応じた回数のバイブレーションをリアクションとして行わせる入力確認支援部とを備えることを特徴とする携帯端末装置の入力確認支援システム。
【請求項３】
複数のキーを操作して入力を行う携帯端末装置の入力確認支援システムにおいて、
「０」キーから「９」キーの数字キーの各操作に対応して文字が入力され、同一の数字キーの操作毎に文字が巡回し、代表キーとして「通信」キーの操作毎に大文字／小文字が切り替わり、代表キーとして「＃」キーの操作毎に濁点／半濁点の付加が切り替わるカタカナ文字の各行を格納する各キーと文字入力の対応格納部と、
前記各キーと文字入力の対応格納部に格納されているカタカナ文字の各行の文字を識別するポジション値０、１、２、３、４を格納する文字の基本ポジション格納部と、
カタカナ文字のうち大文字／小文字の切り替えに無関係な文字、大文字に切り替えられる文字、小文字に切り替えられる文字を識別するポジション値０、１、２をそれぞれ格納する大文字／小文字のポジション格納部と、
カタカナ文字のうち濁点／半濁点の付加の切り替えに無関係な文字、濁点を付加する文字、半濁点を付加する文字を識別するポジション値０、１、２をそれぞれ格納する濁点／半濁点のポジション格納部と、
前記文字の基本ポジション格納部、前記大文字／小文字のポジション格納部、前記濁点／半濁点のポジション格納部に格納されている前記ポジション値に対応する回数のバイブレーションをリアクションとして行うバイブレーション部と、
「０」キーから「９」キー、「通信」キー、「＃」キーのいずれか１つのキーの操作で、カタカナ文字の入力の情報、大文字／小文字の切り替え情報、濁点／半濁点の付加の切り替え情報が入力された場合、入力された文字情報に対応するポジション値を、前記文字の基本ポジション格納部、前記大文字／小文字のポジション格納部、前記濁点／半濁点のポジション格納部から読み出し前記バイブレーション部にポジション値に応じた回数のバイブレーションをリアクションとして行わせる入力確認支援部とを備えることを特徴とする携帯端末装置の入力確認支援システム。
【請求項４】
複数のキーを操作して入力を行う携帯端末装置の入力確認支援システムにおいて、
「０」キーから「９」キーの数字キーの各操作に対応して文字が入力され、同一の数字キーの操作毎に文字が巡回し、代表キーとして「通信」キーの操作毎に大文字／小文字が切り替わるアルファベット文字の３文字又は４文字の各グループを格納する各キーと文字入力の対応格納部と、
前記各キーと文字入力の対応格納部に格納されているアルファベット文字の各グループの３文字又は４文字を識別するポジション値０、１、２又はポジション値０、１、２、３を格納する文字の基本ポジション格納部と、
前記各キーと文字入力の対応格納部に格納されているアルファベット文字の各グループの３文字又は４文字を識別するポジション値０、１、２又はポジション値０、１、２、３を格納する文字の基本ポジション格納部と、
前記文字の基本ポジション格納部、前記大文字／小文字のポジション格納部に格納されている前記ポジション値に対応する回数のバイブレーションをリアクションとして行うバイブレーション部と、
「０」キーから「９」キー、「通信」キーのいずれか１つのキーの操作で、アルファベット文字の入力の情報、大文字／小文字の切り替え情報が入力された場合、入力された文字情報に対応するポジション値を、前記文字の基本ポジション格納部、前記大文字／小文字のポジション格納部から読み出し前記バイブレーション部にポジション値に応じた回数のバイブレーションをリアクションとして行わせる入力確認支援部とを備えることを特徴とする携帯端末装置の入力確認支援システム。
【請求項５】
複数のキーを操作して入力を行う携帯端末装置の入力確認支援システムにおいて、
「０」キーから「９」キーの数字キーの各操作に対応して文字が入力され、同一の数字キーの操作毎に文字が巡回し、代表キーとして「通信」キーの操作毎に大文字／小文字が切り替わり、代表キーとして「＃」キーの操作毎に濁点／半濁点の付加が切り替わるひらがな文字、カタカナ文字の各行を格納し；「０」キーから「９」キーの数字キーの各操作に対応して文字が入力され、同一の数字キーの操作毎に文字が巡回し、「通信」キーの操作毎に大文字／小文字が切り替わるアルファベット文字の３文字又は４文字の各グループを格納し；「０」キーから「９」キーの数字キーの各操作に対応して入力される数字「０」から「９」を格納し；代表キーとして「＊」キーの操作毎に巡回して入力される５文字の記号を格納する各キーと文字入力の対応格納部と、
前記各キーと文字入力の対応格納部に格納されている、ひらがな文字、カタカナ文字の各行の文字、アルファベット文字の各グループの３文字又は４文字、５文字の記号を識別するためにひらがな文字、カタカナ文字の各行の文字、５文字の記号に対してポジション値０、１、２、３、４、アルファベット文字の各グループの３文字又は４文字に対してポジション値０、１、２又はポジション値０、１、２、３を格納し、数字のポジション値０を格納する文字の基本ポジション格納部と、
ひらがな文字、カタカナ文字、アルファベット文字のうち大文字／小文字の切り替えに無関係な文字、大文字に切り替えられる文字、小文字に切り替えられる文字を識別するポジション値０、１、２をそれぞれ格納する大文字／小文字のポジション格納部と、
ひらがな文字、カタカナ文字のうち濁点／半濁点の付加の切り替えに無関係な文字、濁点を付加する文字、半濁点を付加する文字を識別するポジション値０、１、２をそれぞれ格納する濁点／半濁点のポジション格納部と、
前記文字の基本ポジション格納部、前記大文字／小文字のポジション格納部、前記濁点／半濁点のポジション格納部に格納されている前記ポジション値に対応する回数のバイブレーションをリアクションとして行うバイブレーション部と、
「０」キーから「９」キー、「通信」キー、「＃」キー、「＊」キーのいずれか１つのキーの操作で、ひらがな文字、カタカナ文字、アルファベット文字、数字、記号の入力の情報、大文字／小文字の切り替え情報、濁点／半濁点の付加の切り替え情報が入力された場合、入力された文字情報に対応するポジション値を、前記文字の基本ポジション格納部、前記大文字／小文字のポジション格納部、前記濁点／半濁点のポジション格納部から読み出し前記バイブレーション部にポジション値に応じた回数のバイブレーションをリアクションとして行わせる入力確認支援部とを備えることを特徴とする携帯端末装置の入力確認支援システム。
【請求項６】
複数のキーを操作して入力を行う携帯端末装置の入力確認支援システムにおいて、
代表キーとして「電源」キーの操作毎に巡回してひらがな文字、カタカナ文字、アルファベット文字、数字の入力を切り替える文字入力モードを格納し；「０」キーから「９」キーの数字キーの各操作に対応して文字が入力され、同一の数字キーの操作毎に文字が巡回し、代表キーとして「通信」キーの操作毎に大文字／小文字が切り替わり、代表キーとして「＃」キーの操作毎に濁点／半濁点の付加が切り替わるひらがな文字、カタカナ文字の各行を格納し；「０」キーから「９」キーの数字キーの各操作に対応して文字が入力され、同一の数字キーの操作毎に文字が巡回し、「通信」キーの操作毎に大文字／小文字が切り替わるアルファベット文字の３文字又は４文字の各グループを格納し；「０」キーから「９」キーの数字キーの各操作に対応して入力される数字「０」から「９」を格納し；代表キーとして「＊」キーの操作毎に巡回して入力される５文字の記号を格納する各キーと文字入力の対応格納部と、
ひらがな文字、カタカナ文字、アルファベット文字、数字の入力を切り替える文字入力モード文字入力モードを識別するポジション値０、１、２、３を格納する文字入力モードのポジション格納部と、
前記各キーと文字入力の対応格納部に格納されている、ひらがな文字、カタカナ文字の各行の文字、アルファベット文字の各グループの３文字又は４文字、５文字の記号を識別するためにひらがな文字、カタカナ文字の各行の文字、５文字の記号に対してポジション値０、１、２、３、４、アルファベット文字の各グループの３文字又は４文字に対してポジション値０、１、２又はポジション値０、１、２、３を格納し、数字のポジション値０を格納する文字の基本ポジション格納部と、
ひらがな文字、カタカナ文字、アルファベット文字のうち大文字／小文字の切り替えに無関係な文字、大文字に切り替えられる文字、小文字に切り替えられる文字を識別するポジション値０、１、２をそれぞれ格納する大文字／小文字のポジション格納部と、
ひらがな文字、カタカナ文字のうち濁点／半濁点の付加の切り替えに無関係な文字、濁点を付加する文字、半濁点を付加する文字を識別するポジション値０、１、２をそれぞれ格納する濁点／半濁点のポジション格納部と、
前記文字入力モードのポジション格納部、前記文字の基本ポジション格納部、前記大文字／小文字のポジション格納部、前記濁点／半濁点のポジション格納部に格納されている前記ポジション値に対応する回数のバイブレーションをリアクションとして行うバイブレーション部と、
「電源」キー、「０」キーから「９」キー、「通信」キー、「＃」キー、「＊」キーのいずれか１つのキーの操作で、文字入力モードの切り替え情報、ひらがな文字、カタカナ文字、アルファベット文字、数字、記号の入力の情報、大文字／小文字の切り替え情報、濁点／半濁点の付加の切り替え情報が入力された場合、入力された文字情報に対応するポジション値を、前記文字の基本ポジション格納部、前記大文字／小文字のポジション格納部、前記濁点／半濁点のポジション格納部から読み出し前記バイブレーション部にポジション値に応じた回数のバイブレーションをリアクションとして行わせる入力確認支援部とを備えることを特徴とする携帯端末装置の入力確認支援システム。
【請求項７】
前記各キーと文字入力の対応格納部では、ひらがな文字、カタカナ文字に対して大文字／小文字の切り替え可否、濁点／半濁点の付加の切り替え可否を設定することを特徴とする、請求項２、３、５、６のいずれか１つの請求項に記載の携帯端末装置の入力確認支援システム。
【請求項８】
前記各キーと文字入力の対応格納部では、さらに、複数の機能キー各操作に対応して情報が入力され、同一の機能キーの操作毎に情報が巡回して入力される定型文、顔文字、絵文字、添付ピクチャー、添付サウンドを含む情報をそれぞれ格納し、さらに、情報のポジション格納部を設け、前記情報のポジション格納部では、定型文、顔文字、絵文字、添付ピクチャー、添付サウンドを含む各情報を識別するポジション値０、１、２、３、４を格納し、前記バイブレーション部では、さらに、前記情報のポジション格納部に格納されているポジション値に対してバイブレーションを行い、前記入力確認支援部では、前記情報のポジション格納部から読み出してポジション値に応じたバイブレーションを前記バイブレーション部に行わせることを特徴とする、請求項５又は６に記載の携帯端末装置の入力確認支援システム。
【請求項９】
前記各キーと文字入力の対応格納部で文字入力を行う各キーに対する音階を格納させる各キーと音階の対応格納部を設け、さらに、携帯端末装置にオーディオ部を設け、前記入力確認支援部では各キーの操作毎に前記各キーと音階の対応格納部から対応する音階を読み出し前記オーディオから対応する音階の音の出力を行うことを特徴とする、請求項２乃至６のいずれか１つの請求項に記載の携帯端末装置の入力確認支援システム。
【請求項１０】
各キーの配列に対して、配列の横方向に低音から高音若しくは高音から低音の音階を割り振り、又は配列の縦方向に低音から高音若しくは高音から低音の音階を割り振ることを特徴とする、請求項９に記載の携帯端末装置の入力確認支援システム。
【請求項１１】
前記バイブレーション部はポジション値０、１、２、３、４に対してバイブレーション無し、１回のバイブレーション、２回のバイブレーション、３回のバイブレーション、４回のバイブレーション又は１回のバイブレーション、２回のバイブレーション、３回のバイブレーション、４回のバイブレーション、５回のバイブレーションを行うことを特徴とする請求項２乃至６のいずれか１つの請求項に記載の携帯端末装置の入力確認支援システム。
【請求項１２】
前記バイブレーションの時間間隔が調整可能なことを特徴とする、請求項１１に記載の携帯端末装置の入力確認支援システム。
【請求項１３】
前記バイブレーション部は「電源」キー、「０」キーから「９」キー、「通信」キー、「＃」キー、「＊」キーの同一のキー操作間隔が所定時間よりも大きい場合にポジション値に応じた回数のバイブレーションを行うことを特徴とする請求項２乃至６のいずれか１つの請求項に記載の携帯端末装置の入力確認支援システム。
【請求項１４】
携帯端末装置にオーディオ部を設け、前記オーディオ部は、前記バイブレーション部に代わり、ポジション値０、１、２、３、４に対して、「ポジションチ・ゼロ」、「ポジションチ・イチ」、「ポジションチ・ニ」、「ポジションチ・サン」、「ポジションチ・シ（ヨン）」の音声を出力し、前記入力確認支援部では前記オーディオ部に対してポジション値に対応する音声を出力させることを特徴とする、請求項２乃至６に記載の携帯端末装置の入力確認支援システム。
【請求項１５】
複数のキーを操作して入力を行う携帯端末装置の入力確認支援方法において、
「０」キーから「９」キーの数字キーに割り当てられ、同一の数字キーの操作毎に巡回するひらがな文字の各行を格納する工程と、
「０」キーから「９」キーの数字キーに割り当てられ、同一の数字キーの操作毎に巡回するカタカナ文字の各行を格納する工程と、
「０」キーから「９」キーの数字キーに割り当てられ、同一の数字キーの操作毎に巡回するアルファベット文字の３文字又は４文字の各グループを格納する工程と、
「０」キーから「９」キーの数字キーに割り当てられる数字「０」から「９」を格納する工程と、
代表キーとして「＊」キーに割り当てられ、「＊」キーの操作毎に巡回する５文字の記号を格納する工程と、
ひらがな文字の各行の文字を識別するポジション値０、１、２、３、４を格納する工程と、
カタカナ文字の各行の文字を識別するポジション値０、１、２、３、４を格納する工程と、
アルファベット文字の各グループの文字を識別するポジション値０、１、２又はポジション値０、１、２、３を格納する工程と、
５文字の記号を識別するポジション値０、１、２、３、４を格納する工程と、
数字「０」から「９」を識別するポジション値０を格納する工程と、
代表キーとして「通信」キーに割り当てられ、「通信」キーの操作毎にひらがな文字、カタカナ文字、アルファベット文字のうち大文字／小文字の切り替えに無関係な文字、大文字に切り替えられる文字、小文字に切り替えられる文字を識別するポジション値０、１、２を格納する工程と、
代表キーとして「＃」キーに割り当てられ、「＃」キーの操作毎にひらがな文字、カタカナ文字のうち濁点／半濁点の付加の切り替えに無関係な文字、濁点を付加する文字、半濁点を付加する文字を識別するポジション値０、１、２を格納する工程と、
格納されているひらがな文字、カタカナ文字、アルファベット文字、数字を「０」キーから「９」キーの操作で入力する工程と、
記号の入力の情報を「＊」キーの操作で入力する工程と、
ひらがな文字、カタカナ文字、アルファベット文字の大文字／小文字の切り替え情報を「通信」キーの操作で入力する工程と、
ひらがな文字、カタカナ文字の濁点／半濁点の付加の切り替え情報を「＃」キーの操作で入力する工程と、
入力した情報に対して格納されているポジション値を読み出し、ポジション値に対応する回数のバイブレーションをリアクションとして行う工程とを備えることを特徴とする携帯端末装置の入力確認支援方法。
【発明の詳細な説明】
【技術分野】
【０００１】
本発明は携帯端末装置に関する。特に、本発明は、目視による入力確認作業を軽減する携帯端末装置の入力確認支援システム及び方法に関する。
【背景技術】
【０００２】
従来の携帯端末では、限られたキーを用いて多くの文字を入力する場合、効率的な文字入力を可能とするため、複数文字キーを複数個備えた入力手段を有する携帯端末において、複数文字キーを所定の回数押下して、複数文字キーに割り当てられている複数の文字が一巡すると、バイブレータにより報知する手段（バイブレータ、バイブレータ駆動ＩＣ、ＭＰＵ）を有している（例えば、特許文献１参照）。
【０００３】
上記従来の携帯端末では、目的の文字を見逃してしまい、文字キーを複数回押し一巡し先頭の文字が選択されると、その旨が報知され、先頭の文字が認識可能になり、文字キーを所定回数押し目的の文字を入力することが可能になる。
近年、携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ、Ｐｅｒｓｏｎａｌ  Ｄｉｇｉｔａｌ  Ａｓｓｉｓｔａｎｔｓ：個人向け携帯型情報通信機器）等の携帯端末装置の多くが常に持ち歩くためにツール化されており、この携帯端末装置により歩行中など他の動作と並行してメール作成、ＷＥＢサーフィンが行われる。
【０００４】
人ごみの中で歩行中にこの携帯端末装置に文字入力を行う場合、携帯端末装置のスクリーンと人ごみとの両方に配慮する必要があり、視点の切り替えが頻繁に行われ、歩く速度、文字入力速度の低下につながり、また、他の歩行者と衝突するなど危険性も増加する。
【０００５】
【特許文献１】特開２００２−２２９７１６号公報
【発明の開示】
【発明が解決しようとする課題】
【０００６】
このため、目視に頼る現在のスクリーン目視確認ベースの入力方式では、歩行中など他の動作と並行して文字入力を行う場合、文字入力、他の動作の効率が低下し目視に頼る現在のスクリーン目視確認ベースの入力方式、さらに、注意力が散漫になり他の動作の安全性に対して問題がある。
さらに、特許文献１の上記従来の携帯端末では、目視に頼る現在のスクリーン目視確認ベースの入力方式を前提としているが、目視に頼らずに目的の文字を入力することが以下のように可能である。すなわち、報知されるまで文字キーを押下し、報知された先頭の文字を認識し、そこから文字キーを所定回数入力し目的の文字を入力することにより目視に頼らずに目的の文字を入力することが可能である。
【０００７】
例えば、特許文献１の上記従来の携帯端末で、目的の文字を「け」とし、カ行の文字キーで「き」を入力して、「き」を入力したことを失念した場合、目視に頼らずに入力する場合は、報知するまで文字キーを押して先頭文字「か」を認識し、３回押して目的の文字「け」を入力することになる。
本来、「き」の入力時にあと２回押せば目的の文字「け」に至るところを、報知するまで４回押して先頭文字「か」を認識し、さらに、目的の文字「け」至るのに３回押し、計７回押さなければならない。
【０００８】
さらに、先頭文字に戻る場合、何回押せば報知するのか分からないので、押す毎に報知の有無を確認しなければならない。
このため、特許文献１の上記従来の携帯端末では、歩行中など他の動作と並行してメール作成、ＷＥＢサーフィンを行うには、文字キーの押す回数が多くなり、さらに、先頭文字に戻る際に文字キーを押す毎に報知の確認するのは煩雑であるという問題がある。
【０００９】
したがって、本発明は、上記問題点に鑑みて、目視による入力確認作業を軽減し、歩行中などの動作を行っている場合の文字入力を支援する携帯端末装置の入力確認支援システム及び方法を提供することを目的とする。
【課題を解決するための手段】
【００１０】
本発明は前記問題点を解決するために、複数のキーを操作して入力を行う携帯端末装置の入力確認支援システムにおいて、複数のキーの操作に対して、各種の情報のグループが対応し、同一のキー操作毎にグループ内の情報が巡回するグループの情報をそれぞれ格納する各キーと情報入力の対応格納部と、前記各キーと情報入力の対応格納部に格納されている各グループの情報を識別するポジションを格納する情報のポジション格納部と、前記情報のポジション格納部に格納されている前記ポジションに対応してリアクションを行うリアクション部と、１つのキーの操作で情報が入力された場合、入力された情報に対応するポジションを前記ポジション格納から読み出し前記リアクション部にポジションに応じたリアクションを行わせる入力確認支援部とを備えることを特徴とする携帯端末装置の入力確認支援システムを提供する。
【００１１】
さらに、本発明は、複数のキーを操作して入力を行う携帯端末装置の入力確認支援システムにおいて、「０」キーから「９」キーの数字キーの各操作に対応して文字が入力され、同一の数字キーの操作毎に文字が巡回し、代表キーとして「通信」キーの操作毎に大文字／小文字が切り替わり、代表キーとして「＃」キーの操作毎に濁点／半濁点の付加が切り替わるひらがな文字の各行を格納する各キーと文字入力の対応格納部と、前記各キーと文字入力の対応格納部に格納されているひらがな文字の各行の文字を識別するポジション値０、１、２、３、４を格納する文字の基本ポジション格納部と、ひらがな文字のうち大文字／小文字の切り替えに無関係な文字、大文字に切り替えられる文字、小文字に切り替えられる文字を識別するポジション値０、１、２をそれぞれ格納する大文字／小文字のポジション格納部と、ひらがな文字のうち濁点／半濁点の付加の切り替えに無関係な文字、濁点を付加する文字、半濁点を付加する文字を識別するポジション値０、１、２をそれぞれ格納する濁点／半濁点のポジション格納部と、前記文字の基本ポジション格納部、前記大文字／小文字のポジション格納部、前記濁点／半濁点のポジション格納部に格納されている前記ポジション値に対応する回数のバイブレーションをリアクションとして行うバイブレーション部と、「０」キーから「９」キー、「通信」キー、「＃」キーのいずれか１つのキーの操作で、ひらがな文字の入力の情報、大文字／小文字の切り替え情報、濁点／半濁点の付加の切り替え情報が入力された場合、入力された文字情報に対応するポジション値を、前記文字の基本ポジション格納部、前記大文字／小文字のポジション格納部、前記濁点／半濁点のポジション格納部から読み出し前記バイブレーション部にポジション値に応じた回数のバイブレーションをリアクションとして行わせる入力確認支援部とを備えることを特徴とする携帯端末装置の入力確認支援システムを提供する。
【００１２】
さらに、本発明は、複数のキーを操作して入力を行う携帯端末装置の入力確認支援システムにおいて、「０」キーから「９」キーの数字キーの各操作に対応して文字が入力され、同一の数字キーの操作毎に文字が巡回し、代表キーとして「通信」キーの操作毎に大文字／小文字が切り替わり、代表キーとして「＃」キーの操作毎に濁点／半濁点の付加が切り替わるカタカナ文字の各行を格納する各キーと文字入力の対応格納部と、前記各キーと文字入力の対応格納部に格納されているカタカナ文字の各行の文字を識別するポジション値０、１、２、３、４を格納する文字の基本ポジション格納部と、カタカナ文字のうち大文字／小文字の切り替えに無関係な文字、大文字に切り替えられる文字、小文字に切り替えられる文字を識別するポジション値０、１、２をそれぞれ格納する大文字／小文字のポジション格納部と、カタカナ文字のうち濁点／半濁点の付加の切り替えに無関係な文字、濁点を付加する文字、半濁点を付加する文字を識別するポジション値０、１、２をそれぞれ格納する濁点／半濁点のポジション格納部と、前記文字の基本ポジション格納部、前記大文字／小文字のポジション格納部、前記濁点／半濁点のポジション格納部に格納されている前記ポジション値に対応する回数のバイブレーションをリアクションとして行うバイブレーション部と、「０」キーから「９」キー、「通信」キー、「＃」キーのいずれか１つのキーの操作で、カタカナ文字の入力の情報、大文字／小文字の切り替え情報、濁点／半濁点の付加の切り替え情報が入力された場合、入力された文字情報に対応するポジション値を、前記文字の基本ポジション格納部、前記大文字／小文字のポジション格納部、前記濁点／半濁点のポジション格納部から読み出し前記バイブレーション部にポジション値に応じた回数のバイブレーションをリアクションとして行わせる入力確認支援部とを備えることを特徴とする携帯端末装置の入力確認支援システムを提供する。
【００１３】
さらに、本発明は、複数のキーを操作して入力を行う携帯端末装置の入力確認支援システムにおいて、「０」キーから「９」キーの数字キーの各操作に対応して文字が入力され、同一の数字キーの操作毎に文字が巡回し、代表キーとして「通信」キーの操作毎に大文字／小文字が切り替わるアルファベット文字の３文字又は４文字の各グループを格納する各キーと文字入力の対応格納部と、前記各キーと文字入力の対応格納部に格納されているアルファベット文字の各グループの３文字又は４文字を識別するポジション値０、１、２又はポジション値０、１、２、３を格納する文字の基本ポジション格納部と、前記各キーと文字入力の対応格納部に格納されているアルファベット文字の各グループの３文字又は４文字を識別するポジション値０、１、２又はポジション値０、１、２、３を格納する文字の基本ポジション格納部と、前記文字の基本ポジション格納部、前記大文字／小文字のポジション格納部に格納されている前記ポジション値に対応する回数のバイブレーションをリアクションとして行うバイブレーション部と、「０」キーから「９」キー、「通信」キーのいずれか１つのキーの操作で、アルファベット文字の入力の情報、大文字／小文字の切り替え情報が入力された場合、入力された文字情報に対応するポジション値を、前記文字の基本ポジション格納部、前記大文字／小文字のポジション格納部から読み出し前記バイブレーション部にポジション値に応じた回数のバイブレーションをリアクションとして行わせる入力確認支援部とを備えることを特徴とする携帯端末装置の入力確認支援システムを提供する。
【００１４】
さらに、本発明は、複数のキーを操作して入力を行う携帯端末装置の入力確認支援システムにおいて、「０」キーから「９」キーの数字キーの各操作に対応して文字が入力され、同一の数字キーの操作毎に文字が巡回し、代表キーとして「通信」キーの操作毎に大文字／小文字が切り替わり、代表キーとして「＃」キーの操作毎に濁点／半濁点の付加が切り替わるひらがな文字、カタカナ文字の各行を格納し；「０」キーから「９」キーの数字キーの各操作に対応して文字が入力され、同一の数字キーの操作毎に文字が巡回し、「通信」キーの操作毎に大文字／小文字が切り替わるアルファベット文字の３文字又は４文字の各グループを格納し；「０」キーから「９」キーの数字キーの各操作に対応して入力される数字「０」から「９」を格納し；代表キーとして「＊」キーの操作毎に巡回して入力される５文字の記号を格納する各キーと文字入力の対応格納部と、前記各キーと文字入力の対応格納部に格納されている、ひらがな文字、カタカナ文字の各行の文字、アルファベット文字の各グループの３文字又は４文字、５文字の記号を識別するためにひらがな文字、カタカナ文字の各行の文字、５文字の記号に対してポジション値０、１、２、３、４、アルファベット文字の各グループの３文字又は４文字に対してポジション値０、１、２又はポジション値０、１、２、３を格納し、数字のポジション値０を格納する文字の基本ポジション格納部と、ひらがな文字、カタカナ文字、アルファベット文字のうち大文字／小文字の切り替えに無関係な文字、大文字に切り替えられる文字、小文字に切り替えられる文字を識別するポジション値０、１、２をそれぞれ格納する大文字／小文字のポジション格納部と、ひらがな文字、カタカナ文字のうち濁点／半濁点の付加の切り替えに無関係な文字、濁点を付加する文字、半濁点を付加する文字を識別するポジション値０、１、２をそれぞれ格納する濁点／半濁点のポジション格納部と、前記文字の基本ポジション格納部、前記大文字／小文字のポジション格納部、前記濁点／半濁点のポジション格納部に格納されている前記ポジション値に対応する回数のバイブレーションをリアクションとして行うバイブレーション部と、「０」キーから「９」キー、「通信」キー、「＃」キー、「＊」キーのいずれか１つのキーの操作で、ひらがな文字、カタカナ文字、アルファベット文字、数字、記号の入力の情報、大文字／小文字の切り替え情報、濁点／半濁点の付加の切り替え情報が入力された場合、入力された文字情報に対応するポジション値を、前記文字の基本ポジション格納部、前記大文字／小文字のポジション格納部、前記濁点／半濁点のポジション格納部から読み出し前記バイブレーション部にポジション値に応じた回数のバイブレーションをリアクションとして行わせる入力確認支援部とを備えることを特徴とする携帯端末装置の入力確認支援システムを提供する。
【００１５】
さらに、本発明は、複数のキーを操作して入力を行う携帯端末装置の入力確認支援システムにおいて、代表キーとして「電源」キーの操作毎に巡回してひらがな文字、カタカナ文字、アルファベット文字、数字の入力を切り替える文字入力モードを格納し；「０」キーから「９」キーの数字キーの各操作に対応して文字が入力され、同一の数字キーの操作毎に文字が巡回し、代表キーとして「通信」キーの操作毎に大文字／小文字が切り替わり、代表キーとして「＃」キーの操作毎に濁点／半濁点の付加が切り替わるひらがな文字、カタカナ文字の各行を格納し；「０」キーから「９」キーの数字キーの各操作に対応して文字が入力され、同一の数字キーの操作毎に文字が巡回し、「通信」キーの操作毎に大文字／小文字が切り替わるアルファベット文字の３文字又は４文字の各グループを格納し；「０」キーから「９」キーの数字キーの各操作に対応して入力される数字「０」から「９」を格納し；代表キーとして「＊」キーの操作毎に巡回して入力される５文字の記号を格納する各キーと文字入力の対応格納部と、ひらがな文字、カタカナ文字、アルファベット文字、数字の入力を切り替える文字入力モード文字入力モードを識別するポジション値０、１、２、３を格納する文字入力モードのポジション格納部と、前記各キーと文字入力の対応格納部に格納されている、ひらがな文字、カタカナ文字の各行の文字、アルファベット文字の各グループの３文字又は４文字、５文字の記号を識別するためにひらがな文字、カタカナ文字の各行の文字、５文字の記号に対してポジション値０、１、２、３、４、アルファベット文字の各グループの３文字又は４文字に対してポジション値０、１、２又はポジション値０、１、２、３を格納し、数字のポジション値０を格納する文字の基本ポジション格納部と、ひらがな文字、カタカナ文字、アルファベット文字のうち大文字／小文字の切り替えに無関係な文字、大文字に切り替えられる文字、小文字に切り替えられる文字を識別するポジション値０、１、２をそれぞれ格納する大文字／小文字のポジション格納部と、ひらがな文字、カタカナ文字のうち濁点／半濁点の付加の切り替えに無関係な文字、濁点を付加する文字、半濁点を付加する文字を識別するポジション値０、１、２をそれぞれ格納する濁点／半濁点のポジション格納部と、前記文字入力モードのポジション格納部、前記文字の基本ポジション格納部、前記大文字／小文字のポジション格納部、前記濁点／半濁点のポジション格納部に格納されている前記ポジション値に対応する回数のバイブレーションをリアクションとして行うバイブレーション部と、「電源」キー、「０」キーから「９」キー、「通信」キー、「＃」キー、「＊」キーのいずれか１つのキーの操作で、文字入力モードの切り替え情報、ひらがな文字、カタカナ文字、アルファベット文字、数字、記号の入力の情報、大文字／小文字の切り替え情報、濁点／半濁点の付加の切り替え情報が入力された場合、入力された文字情報に対応するポジション値を、前記文字の基本ポジション格納部、前記大文字／小文字のポジション格納部、前記濁点／半濁点のポジション格納部から読み出し前記バイブレーション部にポジション値に応じた回数のバイブレーションをリアクションとして行わせる入力確認支援部とを備えることを特徴とする携帯端末装置の入力確認支援システムを提供する。
【００１６】
さらに、前記各キーと文字入力の対応格納部では、ひらがな文字、カタカナ文字に対して大文字／小文字の切り替え可否、濁点／半濁点の付加の切り替え可否を設定する。
さらに、前記各キーと文字入力の対応格納部では、さらに、複数の機能キー各操作に対応して情報が入力され、同一の機能キーの操作毎に情報が巡回して入力される定型文、顔文字、絵文字、添付ピクチャー、添付サウンドを含む情報をそれぞれ格納し、さらに、情報のポジション格納部を設け、前記情報のポジション格納部では、定型文、顔文字、絵文字、添付ピクチャー、添付サウンドを含む各情報を識別するポジション値０、１、２、３、４を格納し、前記バイブレーション部では、さらに、前記情報のポジション格納部に格納されているポジション値に対してバイブレーションを行い、前記入力確認支援部では、前記情報のポジション格納部から読み出してポジション値に応じたバイブレーションを前記バイブレーション部に行わせる。
【００１７】
さらに、前記各キーと文字入力の対応格納部で文字入力を行う各キーに対する音階を格納させる各キーと音階の対応格納部を設け、さらに、携帯端末装置にオーディオ部を設け、前記入力確認支援部では各キーの操作毎に前記各キーと音階の対応格納部から対応する音階を読み出し前記オーディオから対応する音階の音の出力を行う。
さらに、各キーの配列に対して、配列の横方向に低音から高音若しくは高音から低音の音階を割り振り、又は配列の縦方向に低音から高音若しくは高音から低音の音階を割り振る。
【００１８】
さらに、前記バイブレーション部はポジション値０、１、２、３、４に対してバイブレーション無し、１回のバイブレーション、２回のバイブレーション、３回のバイブレーション、４回のバイブレーション又は１回のバイブレーション、２回のバイブレーション、３回のバイブレーション、４回のバイブレーション、５回のバイブレーションを行う。
さらに、前記バイブレーションの時間間隔が調整可能である。
【００１９】
さらに、前記バイブレーション部は「電源」キー、「０」キーから「９」キー、「通信」キー、「＃」キー、「＊」キーの同一のキー操作間隔が所定時間よりも大きい場合にポジション値に応じた回数のバイブレーションを行う。
さらに、携帯端末装置にオーディオ部を設け、前記オーディオ部は、前記バイブレーション部に代わり、ポジション値０、１、２、３、４に対して、「ポジションチ・ゼロ」、「ポジションチ・イチ」、「ポジションチ・ニ」、「ポジションチ・サン」、「ポジションチ・シ（ヨン）」の音声を出力し、前記入力確認支援部では前記オーディオ部に対してポジション値に対応する音声を出力させる。
【００２０】
さらに、本発明は、複数のキーを操作して入力を行う携帯端末装置の入力確認支援方法において、「０」キーから「９」キーの数字キーに割り当てられ、同一の数字キーの操作毎に巡回するひらがな文字の各行を格納する工程と、「０」キーから「９」キーの数字キーに割り当てられ、同一の数字キーの操作毎に巡回するカタカナ文字の各行を格納する工程と、「０」キーから「９」キーの数字キーに割り当てられ、同一の数字キーの操作毎に巡回するアルファベット文字の３文字又は４文字の各グループを格納する工程と、「０」キーから「９」キーの数字キーに割り当てられる数字「０」から「９」を格納する工程と、代表キーとして「＊」キーに割り当てられ、「＊」キーの操作毎に巡回する５文字の記号を格納する工程と、ひらがな文字の各行の文字を識別するポジション値０、１、２、３、４を格納する工程と、カタカナ文字の各行の文字を識別するポジション値０、１、２、３、４を格納する工程と、アルファベット文字の各グループの文字を識別するポジション値０、１、２又はポジション値０、１、２、３を格納する工程と、５文字の記号を識別するポジション値０、１、２、３、４を格納する工程と、数字「０」から「９」を識別するポジション値０を格納する工程と、代表キーとして「通信」キーに割り当てられ、「通信」キーの操作毎にひらがな文字、カタカナ文字、アルファベット文字のうち大文字／小文字の切り替えに無関係な文字、大文字に切り替えられる文字、小文字に切り替えられる文字を識別するポジション値０、１、２を格納する工程と、代表キーとして「＊」キーに割り当てられ、「＊」キーの操作毎にひらがな文字、カタカナ文字のうち濁点／半濁点の付加の切り替えに無関係な文字、濁点を付加する文字、半濁点を付加する文字を識別するポジション値０、１、２を格納する工程と、格納されているひらがな文字、カタカナ文字、アルファベット文字、数字を「０」キーから「９」キーの操作で入力する工程と、記号の入力を「＊」きーの操作で入力する工程と、ひらがな文字、カタカナ文字、アルファベット文字の大文字／小文字の切り替え情報を「通信」キーの操作で入力する工程と、ひらがな文字、カタカナ文字の濁点／半濁点の付加の切り替え情報を「＃」キー操作で入力する工程と、入力した情報に対して格納されているポジション値を読み出し、ポジション値に対応する回数のバイブレーションをリアクションとして行う工程とを備えることを特徴とする携帯端末装置の入力確認支援方法を提供する。
【発明の効果】
【００２１】
以上説明したように、本発明によれば、ユーザは自分が入力した文字の状態を失念した場合、キー操作をして待ち、バイブレーションで現在の状態を、表示部（スクリーン）を目視することなく、知ることができる。
すなわち、編集中の文字の情報をポジションという単位で識別することにより、ひらがな文字、カタカナ文字、アルファベット文字、数字、記号等の文字入力に依存せず、最小で５パターンのバイブレータの種類（リアクション）を用いることで現在編集している文字の情報を通知することが可能になる。この通知によりユーザは編集している文字を、表示部（スクリーン）を目視することなく、確認することが可能となる。
【００２２】
このため、走行中など他の動作と並行して携帯電話機によるメール作成、ＷＥＢサーフィンなどを行う場合に表示部（スクリーン）を目視する頻度が軽減され、文字入力、他の動作の効率、他の動作の安全性が向上する。
さらに、表示部（スクリーン）の目視回数を軽減するため、目の不自由なユーザの文字入力支援効果が期待される。
【００２３】
さらに、バイブレータの種類（リアクション）のパターンが少ないことにより、携帯電話機の処理の軽減、メモリの節約、簡易な実装が可能である。さらに、バイブレータの種類（リアクション）のパターンが少ないことはユーザに対し分かりやすい機能を提供することが可能になる。
【発明を実施するための最良の形態】
【００２４】
本発明に係る携帯端末装置は携帯電話機、ＰＨＳ、ＰＤＡを含む。以下、本発明の実施の形態である携帯電話機について図面を参照して説明する。
図１は本発明に係る携帯端末装置としての携帯電話機の概略外観を示す図である。本図に示す携帯電話機１００は、メール作成、ＷＥＢサーフィンを行う機能を有し、主要部としてキー入力部１１６、表示部（スクリーン）１１８を有する。
【００２５】
キー入力部１１６は複数のキーを有し、複数のキーのうち、大部分の各キーに入力可能な文字が対応している。
すなわち、代表キーとして「電源」キーにひらがな文字、カタカナ文字、アルファベット文字、数字の切り替えの機能が割り当てられ、数字キーである「０」から「９」キーに対してひらがな文字、カタカナ文字の各行の文字がそれぞれ割り当てられ、数字キーである「２」から「９」キーに対してアルファベット文字の３文字又は４文字のグループがそれぞれ割り当てられ、数字キーである「０」から「９」キーに対して数字０から９が割り当てられ、代表キーとして「通信」キーが大文字／小文字の切り替えに用いられ、代表キーとして「＊」キーが記号の入力に割り当てられ、代表キーとして「＃」キーが「゛」、「゜」の濁点／半濁点の付加に割り当てられる。
【００２６】
例えば、「電源」キーを操作する毎に、「ひらがな文字」入力モード→「カタカナ文字」入力モード→「アルファベット文字」入力モード→「数字」入力モード→「ひらがな文字」入力モード→…のように巡回して文字の入力モードが切り替わる。
さらに、ひらがな文字の入力モードで「１」キーを操作する毎に、「あ」→「い」→「う」→「え」→「お」→…のように巡回して文字の入力が切り替わる。
【００２７】
さらに、カタカナ文字の入力モードで「１」キーを操作する毎に、「ア」→「イ」→「ウ」→「エ」→「オ」→…のように巡回して文字の入力が切り替わる。
さらに、アルファベット文字の入力モードで「２」キーを操作する毎に、「Ａ」→「Ｂ」→「Ｃ」→「Ａ」→…のように巡回して文字の入力が切り替わる。
さらに、数字の入力モードで「１」キー→「２」キー…のキーを操作する毎に、「１」→「２」…のように文字の入力が切り替わる。
【００２８】
さらに、「＊」キーを操作する毎に、「？」→「！」→「−」→「／」→「＆」→「？」→…のように巡回して文字の入力が切り替わる。記号としては使用頻度の高いもの、ユーザの好みのものを予め用意しておくことが可能である。
なお、キー操作毎に文字の入力が切り替わるが、クリア（ＣＬ）キーを操作する毎に、入力した文字が逆方向に切り替わるようにしてもよい。誤って切り替えた場合の修正を可能にするためである。
【００２９】
「機能１」キー、「機能２」キー、「機能３」キー、「機能４」キー、「機能５」キー、「機能６」キーについては後述する。
表示部１１８は携帯電話機１００に必要な表示機能を有し、キー入力部１１６により入力される文字を表示する。
図２は図１における携帯電話機１００に関する回路構成の要部を示すブロック図である。
【００３０】
本図に示すように、携帯電話機１００には制御部１１１が設けられ、制御部１１１は携帯電話機１００の全体を制御するＣＰＵ（中央演算装置）からなり、特に後述する入力確認支援部１１１Ａを有し、入力確認支援部１１１Ａは入力文字、入力情報を識別するポジション情報に応じたバイブレーションを行うことによりポジション情報の通知制御を行う。
【００３１】
制御部１１１にはバス１２１を介してＲＯＭ（Ｒｅａｄ  Ｏｎｌｙ  Ｍｅｍｏｒｙ）１１２が接続され、ＲＯＭ１１２は制御部１１１が実行するための各種の制御プログラム、データを格納するメモリであり、特に後述する各キーと入力文字の対応格納部１１２Ａ、文字入力モードのポジション格納部１１２Ｂ、文字の基本ポジション格納部１１２Ｃ、大文字／小文字のポジション格納部１１２Ｄ、濁点「゛」／半濁点「゜」のポジション格納部１１２Ｅを有する。
【００３２】
制御部１１１にはバス１２１を介して作業用メモリ１１３が接続され、作業用メモリ１１３は制御部１１１がプログラムを実行する上で一時的に必要とされるデータを格納し、特に後述する編集中の文字（現在カーソナルの当たっている文字）のポジション情報も一時的に格納する。
制御部１１１にはバス１２１を介してタイマ部１１４が接続され、タイマ部１１４は特にキー入力部１１６のキーのリリースから次のキープレスまでの時間を観測する。
【００３３】
制御部１１１にはバス１２１を介してキー入力制御部１１５が接続され、キー入力制御部１１５はキー入力部１１６が各種キーからのキー入力を受け、その受けた入力に対する処理を行い、文字入力を可能にする。
制御部１１１にはバス１２１を介して表示制御部１１７が接続され、表示制御部１１７は制御部１１１の入力確認支援部１１１Ａによる制御を基にキー入力制御部１１５により入力された文字を表示部１１８に表示する。
【００３４】
携帯電話機１００にはバイブレータ作動部１２０が設けられ、バイブレータ作動部１２０は特に編集された文字を識別するポジション情報をユーザに通知する。制御部１１１にはバス１２１を介してバイブレータ制御部１１９が接続され、バイブレータ制御部１１９はバイブレータ作動部１２０を制御し、特に後述するバイブレーションの種類設定部１１９Ａ、バイブレーション時間調節部１１９Ｂ、バイブレーション開始制御部１１９Ｃを有し、タイマ部１１４を用いて制御部１１１の入力確認支援部１１１Ａにより制御される。
【００３５】
図３は図２におけるＲＯＭ１１２の各キーと入力文字の対応格納部ＲＯＭ１１２Ａに格納される各キーと入力文字の対応を説明する図である。
本図に示すように、ＲＯＭ１１２の各キーと入力文字の対応格納部１１２Ａには、「０」キーから「９」キーの各々に対応して割り当てられるひらがな文字の各行、カタカナ文字の各行、数字が格納され、「２」キーから「９」キーの各々に対応して割り当てられるアルファベット文字の３文字又は４文字のグループが格納され、「通信」キーに対応して大文字／小文字の切り替えの情報；「＊」キーに対応して割り当てられる記号？！−／＆；「＃」キーに対応して濁点「゛」、半濁点「゜」の付加の情報；「電源」キーに対応してひらがな文字入力モード、カタカナ文字入力モード、アルファベット文字入力モード、数字入力モードの情報が格納される。
【００３６】
さらに、「０」キーから「９」キーの各々に対応する各行のひらがな文字、カタカナ文字に対して大文字／小文字の切り替えの可否、濁点「゛」／半濁点「゜」の付加の可否が設定される。
なお、「０」キーから「９」キーのうち、任意の同一のキー続けて操作する毎にそのキーに帰属する各行のひらがな文字若しくはカタカナ文字又は各グループのアルファベット文字は順番に切り替わり、一巡して元の文字に戻る。
【００３７】
以下に、一例として、小文字の編集、濁音、半濁音文字の編集について説明を行う。ひらがな文字の入力モードで「４」キーを３回操作すると入力しようとする編集文字が「た」→「ち」→「つ」と順番に変化し「つ」の状態になる。この状態で「通信」キーを操作すると入力しようとする編集文字が「っ」小文字となる。
また、入力しようとする編集文字が「つ」の状態で「＃」キーを１回操作すると「づ」と濁点「゛」が付加される。ただし、「づ」の状態から「＃」を操作した場合は、半濁点「゜」が付加されず、「づ」の状態のままである。
【００３８】
また、カタカナ文字の入力モードで、「６」キーを７回操作すると入力しようとする編集文字が「ハ」→「ヒ」→「フ」→「ヘ」→「ホ」→「ハ」→「ヒ」と巡回して変化する。「ヒ」状態で「＃」キーを４回おすと「ビ」→「ピ」→「ビ」→「ピ」と濁点「゛」、半濁点「゜」の付加が巡回する。
次に、現在の携帯電話機では、前述のように、入力可能な文字はひらがな文字、カタカナ文字、これらの大文字・小文字、これらの濁音・半濁音文字、アルファベット文字、これらの大文字・小文字、数字、記号等、１００種類以上あり、これらに対して全て別のリアクションを定義するとことは非現実的であり、また、ユーザが全てのリアクションを把握し、識別することも困難である。音声という手段もあるが街中、人ごみの中では把握するのが困難であり、非現実的であり、リアクションの種類の非常に少ない実用的な範囲で目視確認を軽減させる文字入力支援を実現する必要がある。
【００３９】
そのため、例えば、入力文字がひらがな文字で「１」キーを操作すると「あ」→「い」→「う」→「え」→「お」→「あ」と「あ」行を巡回する特徴に着目し、この巡回の中で現在指している位置（ポジションと定義）を利用することにより、ひらがな文字、カタカナ文字、アルファベット文字、数字の入力方式を以下のように統一的に扱う。
図４は図２におけるＲＯＭ１１２の文字入力モードのポジション格納部１１２Ｂに格納されるポジションを説明する図である。
【００４０】
本図に示すように、文字種類として「ひらがな文字」入力モード、「カタカナ文字」入力モード、「アルファベット文字」入力モード、「数字」入力モードに対してポジション値０、１、２、３が導入され文字種類のポジション格納部１１２Ｂに格納される。
図５は図２におけるＲＯＭ１１２の文字の基本ポジション格納部１１２Ｃに格納されるポジションを説明する図である。
【００４１】
本図に示すように、入力文字のひらがな文字、カタカナ文字の各行の文字、記号に対してポジション値０、１、２、３、４が導入され、アルファベットの３文字のグループに対してポジション値０、１、２；４文字のグループに対してポジション値０、１、２、３が導入され、数字に対してポジション値０が導入され文字の基本ポジション格納部１１２Ｃに格納される。
【００４２】
図６は図２におけるＲＯＭ１１２の大文字／小文字のポジション格納部１１２Ｄに格納されるポジションを説明する図である。
本図に示すように、大文字／小文字に無関係の文字に対してポジション値０、大文字になる文字に対してポジション値１、小文字になる文字に対してポジション値２が導入され大文字／小文字のポジション格納部１１２Ｄに格納される。
【００４３】
図７は図２におけるＲＯＭ１１２の濁点「゛」／半濁点「゜」のポジション格納部１１２Ｅに格納されるポジションを説明する図である。
本図に示すように、濁点「゛」／半濁点「゜」に付加に無関係の文字に対してポジション値０、濁点「″」を付加する文字に対してポジション値１、半濁点「°」を付加する文字に対してポジション値２が導入され濁点「゛」／半濁点「゜」のポジション格納部１１２Ｅに格納される。
【００４４】
図４から図７に示すデータ構造は入力しようとする編集文字のポジション情報として図２の作業用メモリ１１３に展開される。
このようにして、入力文字に対するリアクションを５種類のポジション値０、１、２、３、４の最小に抑制し、キーを操作して文字を入力すると、操作したキーではなく入力（編集）された文字に応じたリアクションを与えることが可能になる。
【００４５】
これにより、現在入力されている文字の状態を把握し、スクリーン目視による確認作業を軽減することが可能になる。
図８は図２におけるバイブレータ制御部１１９のバイブレーションの種類設定部１１９Ａにより設定されるバイブレーションの種類を説明する図である。
本図に示すように、バイブレーションの種類設定部１１９Ａでは、ポジション値０、１、２、３、４に対してバイブレーションの種類ｂ０、ｂ１、ｂ２、ｂ３、ｂ４を設定する。
【００４６】
バイブレーションの種類ｂ０の場合にはバイブレーションを行わず、バイブレーションの種類ｂ２の場合には１回のバイブレーションを行い、バイブレーションの種類ｂ２の場合には２回のバイブレーションを行い、バイブレーションの種類ｂ３の場合には３回のバイブレーションを行い、バイブレーションの種類ｂ４の場合には４回のバイブレーションを行うようにバイブレーションの種類設定部１１９Ａからバイブレータ作動部１２０にバイブレーションの種類の設定が行なわれる。
【００４７】
なお、バイブレーションの種類ｂ０、ｂ１、ｂ２、ｂ３、ｂ４を１回、２回、３回、４回、５回のバイブレーションに置換して設定してもよい。
このようにして、ポジション値に対応するバイブレーションの種類すなわちバイブレーションの回数から入力された文字を認識することが可能になる。
図９は図２におけるバイブレータ制御部１１９のバイブレーション時間調節部１１９Ｂによりバイブレーションの種類ｂ４の場合に調節されるバイブレーション時間の例を説明する図である。
【００４８】
本図に示すように、バイブレーションの種類ｂ４の場合には時間ｔ１のバイブレーション有り、時間ｔ２のバイブレーション無し、時間ｔ１のバイブレーション有り、時間ｔ２のバイブレーション無し、時間ｔ１のバイブレーション有りのバイブレーションが行なわれ、このバイブレーションに対して、バイブレーション時間調節部１１９Ｂによりバイブレーション有りの時間ｔ１、バイブレーション無しの時間ｔ２の調節が行なわれる。ユーザの好みに対応するためである。
【００４９】
図１０は図２におけるバイブレーション開始制御部１１９Ｃによりバイブレーション開始制御動作を説明する図である。
本図（ａ）に示すように、バイブレーション開始制御部１１９Ｃによりバイブレーションの開始時間ｔ３が設定され、キー入力部１１６の同一キーによるキー操作Ａとキー操作Ｂのキー操作間隔がバイブレーションの開始時間ｔ３よりも大きい場合には、キー操作Ａ時からｔ３経過後にキー操作Ａのポジションに対応する所定種類のバイブレーションが開始する。
【００５０】
本図（ｂ）に示すように、キー操作Ａとキー操作Ｂのキー操作間隔がバイブレーションの開始時間ｔ３よりも小さく又は等しい場合には、キー操作Ａ時からｔ３経過後にキー操作Ａのポジションに対応する所定種類のバイブレーションを行わない。
本図（ｃ）に示すように、キー操作Ａとキー操作Ｂのキー操作間隔がバイブレーションの開始時間ｔ３よりも小さく又は等しい場合、さらに、キー操作Ｂ後に続くキー操作が無い場合には、キー操作Ａ時からｔ３経過後にキー操作Ａのポジションに対応する所定種類のバイブレーションを行わず、キー操作Ｂ時からｔ３経過後にキー操作Ｂのポジションに対応する所定種類のバイブレーションが開始する。
【００５１】
このようにして、キー操作後一定時間待って所定種類のバイブレーションを行わせ、バイブレーションから現在のポジションを認識することが可能になる。
現在のポジションを認識している場合には所定回数、連続してキー操作を行い、目的の文字を入力することができるので、この場合には、キー操作毎にバイブレーションは不要であるため、行わない。
【００５２】
なお、連続してキー操作を行って目的とする文字を入力する際に、最後のキー操作後に一定時間待つとバイブレーションが行われ、目的とする文字のポジションを認識することができ、目的とする文字の入力の確認が可能になる。
なお、設定されるバイブレーションの時間ｔ３の調節を可能とする。バイブレーションの開始をユーザの好みに合わせるためである。
【００５３】
図１１は図２における制御部１１１の入力確認支援部１１１Ａに関する一連の制御動作を説明するフローチャートである。
ステップＳ２０１において、携帯電話機１００のユーザが「電源」キーの操作（キーｐｒｅｓｓ）により文字入力の選択を行う。
ステップＳ２０２において、キー操作（キーｐｒｅｓｓ）により文字の入力を行う。
【００５４】
ステップＳ２０２において、文字の入力によって、カーソルが移動するか否かを判断する。カーソルの移動は、キー操作で前回に入力した文字が確定し、新たな文字の入力が追加されることを意味する。例えば、前回の入力文字が「あ」の状態で、「３」キーを操作した場合、「あ」に当たっていたカーソルが移動し「さ」が新たに入力される。また、カーソルが移動しない場合は前回入力した文字を編集していることを意味する。例えば、前回の入力文字が「あ」の状態で「１」キーを操作した場合、「あ」に当たっていたカーソルが移動せず、編集中の文字が「あ」から「い」に変わる。
【００５５】
ステップＳ２０３において、カーソルが移動する場合、後述するポジション初期化処理を行い、ステップＳ２０２に戻り、次のキー操作を待つ。
ステップＳ２０５において、カーソルが移動しない場合で、キー操作がひらがな、カタカナ、アルファベット、数字、記号などの文字の基本構成に関する「０」キーから「９」キー、「＊」キーの操作であるか否かを判断する。
【００５６】
ステップＳ２０６において、「０」キーから「９」キー、「＊」キーの操作である場合には後述するポジション処理１を行い、ステップＳ２０２に戻り、次のキー操作を待つ。
ステップＳ２０７において、「０」キーから「９」キー、「＊」キーの操作でない場合には、大文字／小文字を変える「通信」キーの操作であるか否かを判断する。
ステップＳ２０８において、「通信」キーの操作である場合には後述するポジション処理２を行い、ステップＳ２０２に戻り、次のキー操作を待つ。
【００５７】
ステップＳ２０９において、「通信」キーの操作でない場合には濁点「゛」／半濁点「゜」を付加する「＃」キーの操作であるか否かを判断する。
ステップＳ２１０において、「＃」キーの操作である場合には後述するポジション処理３を行い、ステップＳ２０２に戻り、次のキー操作を待つ。
ステップＳ２１１において、「＃」キーの操作でない場合には後述するポジション処理４を行い、ステップＳ２０２に戻り、次のキー操作を待つ。
【００５８】
図１２は図１１におけるステップＳ２０４のポジション初期化処理を説明するフローチャートである。
本図に示すように、ステップＳ２２１において、前述のように、ステップＳ２０４のポジション初期化処理はカーソルが移動し、新しい文字が新規で追加されたときに行なわれるもので、文字の基本ポジション情報の初期化が行なわれる。すなわち、図５におけるポジション値０の設定が行なわれる。
【００５９】
ステップＳ２２２において、新しい文字が新規で追加された文字に対して、大文字／小文字を示すポジションを初期化する。すなわち、「か」などの大文字／小文字に無関係な文字に対して図６におけるポジション値０の設定が行われ、「Ａ」などの大文字に対して図６におけるポジション値１の設定が行なわれ、「ａ」などの小文字に対して図６におけるポジション値２の設定が行なわれる。
【００６０】
ステップＳ２２３において、濁点「゛」／半濁点「゜」の付加を示すポジションを初期化する。すなわち、新しい文字が新規で追加された文字に対して、濁点「゛」／半濁点「゜」の付加が可能か否かに拘わらず、図７におけるポジション値０の設定が行なわれ、処理を終了する。
図１３は図１１におけるステップＳ２０６のポジション処理１の例を説明するフローチャートである。
【００６１】
本図に示すように、ポジション処理１では文字の基本ポジション情報の値を扱い、処理内容は文字入力モード、入力されたキー操作によって異なり、ステップＳ２３１において、最初に現在の基本ポジション値が操作されたキーの最後のポジション値か否かを判断する。
ステップＳ２３２において、最後のポジション値の場合、文字の基本ポジションを最初のポジション値（ポジション値０）に戻す。
【００６２】
ステップＳ２３３において、最後のポジション値でない場合、文字の基本ポジションのポジション値をひとつ増加させる。
ステップＳ２３４において、基本ポジションのポジション値を更新した後、ポジション値を入力確認支援部１１１Ａからバイブレータ制御部１１９に通知する。
図１４は図１３におけるポジション処理１の別の例を説明するフローチャートである。文字入力モードがアルファベット文字でキー操作が「０」又は「１」キー操作である場合、本図に示すように、「０」キー操作によって編集している文字が不変であるため何も処理を行わない。
【００６３】
図１５は図１１におけるステップＳ２０８のポジション処理２の例を説明するフローチャートである。
ステップＳ２４１において、大文字／小文字のポジション値を扱うポジション処理２では最初にキー操作による編集文字が大文字／小文字変換可能であるか否かを判断する。大文字／小文字変換不可能な場合には処理を終了する。
【００６４】
ステップＳ２４２において、大文字／小文字変換可能な場合には現ポジション値が大文字を示すポジション値１であるか否かを判断する。
ステップＳ２４３において、現ポジション値が大文字を示すポジション値１である場合には小文字を示すポジション値２に更新する。
ステップＳ２４４において、逆に現ポジション値が小文字を示すポジション値２である場合には大文字を示すポジション値１に更新する。
【００６５】
ステップＳ２４５において、更新後に大文字／小文字を示すポジション値を、ポジション値を入力確認支援部１１１Ａからバイブレータ制御部１１９に通知し、処理を終了する。
図１６は図１１におけるステップＳ２１０のポジション処理３の例を説明するフローチャートである。
【００６６】
ステップＳ２５１において、濁点「゛」／半濁点「゜」の付加を示すポジション値を扱うポジション処理３では、最初にキー操作による編集文字が共に濁点「゛」／半濁点「゜」付加可能であるか否かを判断する。
ステップＳ２５２において、共に濁点「゛」／半濁点「゜」付加可能である場合には現ポジション値は濁点「″」を示すポジション値１であるか否かを判断する。
【００６７】
ステップＳ２５３において、現ポジション値が濁点「″」を示すポジション値１である場合には半濁点「°」を示すポジション値２に更新し、ステップＳ２５７に進む。
ステップＳ２５４において、現ポジション値が半濁点「°」を示すポジション値２である場合には濁点「″」を示すポジション値１に更新し、ステップＳ２５７に進む。
ステップＳ２５５において、共に濁点「゛」／半濁点「゜」付加可能でない場合には編集文字は濁点「″」のみを付加可能であるか否かを判断する。編集文字は濁点「″」のみを付加可能でない場合には処理を終了する。すなわち、濁点「″」付加も可能でなく、半濁点「°」付加も可能でない場合、編集中の文字が不変であるため何も処理を行わない。
【００６８】
ステップＳ２５６において、編集文字は濁点「″」のみを付加可能である場合には濁点「″」を示すポジション値１に更新し、ステップＳ２５７に進む。ただし、濁点「″」を示す現ポジション値１の状態で、さらに、「＃」キーの操作により半濁点「°」の付加要求が来た場合は濁点「″」を示すポジション値のままとする。例えば、現在編集中の文字が「ガ」の時に「＃」キーを操作した場合に「ガ」のままで不変にする。
【００６９】
ステップＳ２５７において、濁点「゛」／半濁点「゜」付加を示すポジション情報をバイブレータ制御部１１９に通知し処理を終了する。
図１７は図１１におけるステップＳ２１１のポジション処理４の例を説明するフローチャートである。
本図に示すように、他のキー操作、例えば、後述する機能１〜５キー操作によるポジション変化を処理するようにしてもよいが、説明簡略化のため本実施の形態のポジション処理４では何も行わないこととする。
【００７０】
図１８は図２におけるバイブレータ制御部１１９の制御動作を説明するフローチャートである。
本図に示すように、ステップＳ２６１において、バイブレータ制御部１１９では、制御部１１１の入力確認支援部１１１Ａから文字入力モードのポジション値を入力したか否かを判断する。文字入力モードのポジション値を入力しない場合には、文字入力モードが選択されているのでステップＳ２６４に進む。
【００７１】
ステップＳ２６２において、文字入力モードのポジション値を入力した場合には、キー入力部１１６の「電源」キーの操作間隔がバイブレーション開始時間ｔ３よりも大きいか否かを判断する。キーの操作間隔がバイブレーション開始時間ｔ３よりも小さいか又は等しい場合にはステップＳ２６１に戻り、上記処理を繰り返す。既に現在の文字入力モードのポジション値が認識できている場合には所定回数キー操作を行い、目的の文字入力モードを入力することが可能になる。ここで、所定回数キー操作とは連続的なキー操作をいうが、同一のキー操作だけでなく、他のキー操作を含む。例えば、所定回数「電源」キーの操作をし、所定回数の「１」キー操作を含む。以下同様である。
【００７２】
ステップＳ２６３において、キーの操作間隔がバイブレーション開始時間ｔ３よりも大きい場合には入力した文字入力モードのポジション値に対するバイブレーション種類ｂ０、ｂ１、ｂ２、ｂ３のうち任意の１つに関するバイブレーションを行い、文字入力モードの現ポジションをユーザに通知しステップＳ２６１に戻る。
このようにして、ユーザは自分が選択した文字入力モードが巡回した何番目、例えば、「ひらがな文字の入力モード、カタカナ文字の入力モード、アルファベット文字の入力モード、数字の入力モード」の何番目なのかを失念した場合、キー操作をして待ち、バイブレーション種類ｂ１のバイブレーションがあると、２番目の「カタカナ文字の入力モード」の入力であることを、表示部１１８を目視することなく、知ることができる。
【００７３】
ステップＳ２６４において、バイブレータ制御部１１９では、制御部１１１の入力確認支援部１１１Ａから文字の基本ポジションのポジション値を入力したか否かを判断する。文字の基本ポジションのポジション値を入力しない場合には目的とする文字の入力が行われているのでステップＳ２６５に進む。文字の基本ポジションのポジション値を入力した場合には、ステップＳ２６２に進み、キー入力部１１６の「０」キーから「９」キー、「＊」キーのうち任意の１つに関するキーの操作間隔がバイブレーション開始時間ｔ３よりも大きいか否かを判断する。キーの操作間隔がバイブレーション開始時間ｔ３よりも小さいか又は等しい（短間隔）場合にはステップＳ２６１に戻り、上記処理を繰り返す。既に現在の文字入力モードのポジション値が認識できている場合には所定回数キー操作し目的の文字を入力することが可能になる。例えば、「え」を目的とする入力文字とする場合、「１」キーを4回短間隔で連続して操作することにより「え」を入力することが可能である。キーの操作間隔がバイブレーション開始時間ｔ３よりも大きい（長間隔）場合にはステップＳ２６３に進み、入力した文字入力モードのポジション値に対するバイブレーション種類ｂ０、ｂ１、ｂ２、ｂ３、ｂ４のうち任意の１つに関するバイブレーションを行い、文字の基本ポジションの現ポジションをユーザに通知しステップＳ２６１に戻る。
【００７４】
このようにして、ユーザは選択した文字入力モードに対して、自分が入力した文字が巡回した何番目、例えば、ひらがな文字の入力モードの場合「あいうえお」の何番目なのかを失念した場合、キー操作をして待ち、バイブレーション種類ｂ３のバイブレーションがあると、４番目の「え」の入力であることを、表示部１１８を目視することなく、知ることができる。
【００７５】
ステップＳ２６５において、バイブレータ制御部１１９では、制御部１１１の入力確認支援部１１１Ａから大文字／小文字のポジション値０を入力したか否かを判断する。大文字／小文字のポジション値０を入力した場合には大文字／小文字に無関係であるのでステップＳ２６６に進む。大文字／小文字のポジション値０を入力しない場合にはステップＳ２６２に進み、キー入力部１１６の「通信」キーの操作間隔がバイブレーション開始時間ｔ３よりも大きいか否かを判断する。キーの操作間隔がバイブレーション開始時間ｔ３よりも小さいか又は等しい場合にはステップＳ２６１に戻る。既に大文字／小文字のポジション値を認識できているためである。キーの操作間隔がバイブレーション開始時間ｔ３よりも大きい場合にはステップＳ２６３に進み、大文字／小文字のポジション値に対するバイブレーション種類ｂ１又はｂ２のバイブレーションを行い、大文字／小文字の現ポジションをユーザに通知しステップＳ２６１に戻る。
【００７６】
このようにして、ユーザは自分が入力した文字の状態が大文字、例えば、「あ」なのか、小文字、例えば、「ぁ」なのかを失念した場合、キー操作をして待ち、バイブレーション種類ｂ１のバイブレーションがあると、大文字の「あ」の入力であることを、表示部１１８を目視することなく、知ることができる。
ステップＳ２６６において、バイブレータ制御部１１９では、制御部１１１の入力確認支援部１１１Ａから濁点「゛」／半濁点「゜」のポジション値０を入力したか否かを判断する。濁点「゛」／半濁点「゜」のポジション値０を入力した場合には濁点「゛」／半濁点「゜」に無関係であるのでステップＳ２６１に戻る。濁点「゛」／半濁点「゜」のポジション値０を入力しない場合にはステップＳ２６２に進み、キー入力部１１６の「＃」キーの操作間隔がバイブレーション開始時間ｔ３よりも大きいか否かを判断する。キーの操作間隔がバイブレーション開始時間ｔ３よりも小さいか又は等しい場合にはステップＳ２６１に戻る。既に濁点「゛」／半濁点「゜」のポジション値を認識できているためである。キーの操作間隔がバイブレーション開始時間ｔ３よりも大きい場合にはステップＳ２６３に進み、濁点「゛」／半濁点「゜」のポジション値に対するバイブレーション種類ｂ１又はｂ２のバイブレーションを行い、濁点「゛」／半濁点「゜」の現ポジションをユーザに通知しステップＳ２６１に戻る。
【００７７】
このようにして、ユーザは自分が入力した文字の状態が濁点「゛」の付加なのか、半濁点「゜」の付加なのかを失念した場合、キー操作をして待ち、バイブレーション種類ｂ１のバイブレーションがあると、濁点「゛」の付加の入力であることを、表示部１１８を目視することなく、知ることができる。
このようにして、編集中の文字の情報をポジションという単位で識別することにより、ひらがな、カタカナ、アルファベット、数字、記号等の文字入力に依存せず、最小で５パターンのバイブレータの種類（リアクション）を用いることで現在編集している文字の情報を通知することが可能になる。この通知によりユーザは編集している文字を、表示部１１８を目視することなく、確認することが可能となる。
【００７８】
このため、走行中など他の動作と並行して携帯電話機によるメール作成、ＷＥＢサーフィンなどを行う場合に表示部（スクリーン）を目視する頻度が軽減され、文字入力、他の動作の効率、他の動作の安全性が向上する。
さらに、表示部（スクリーン）の目視回数を軽減するため、目の不自由なユーザの文字入力支援効果が期待される。
【００７９】
さらに、バイブレータの種類（リアクション）のパターンが少ないことにより、携帯電話機の処理の軽減、メモリの節約、簡易な実装が可能である。さらに、バイブレータの種類（リアクション）のパターンが少ないことはユーザに対し分かりやすい機能を提供することが可能になることを意味する。
【実施例１】
【００８０】
図１９は図１８の第１の変形例であり、バイブレータ制御部１１９の制御動作を説明するフローチャートである。
本図に示すように、ステップＳ２７１において文字入力モードのポジション値を入力し、ステップＳ２７２において文字の基本ポジションのポジション値を入力し、ステップＳ２７３において大文字／小文字のポジション値１、２を入力し、濁点「゛」／半濁点「゜」のポジション値１、２を入力すると、ステップＳ２７２において所定のバイブレーションを行い、ユーザに通知する。
【００８１】
このように、本図１９では、図１８のステップＳ２６２が省略される。これは、キー操作間隔とは無関係にキー操作毎にバイブレーションでポジションを確認して確実に目的の文字の入力を行えるようにするためである。
【実施例２】
【００８２】
図２０は図１８の第２の変形例であり、バイブレータ制御部１１９の制御動作を説明するフローチャートである。
本図に示すように、図１８のステップＳ２６１が省略される。この省略に起因して、文字入力モードは最初に目視で選択する。文字入力モードの切り替えが頻繁に行われない場合にはこの方が簡単な処理となる。
【実施例３】
【００８３】
図２１は図１８の第３の変形例であり、バイブレータ制御部１１９の制御動作を説明するフローチャートである。
本図に示すように、図１８のステップＳ２６１、ステップＳ２６２が省略される。図１８のステップＳ２６１の省略に起因して、文字入力モードは最初に目視で選択する。文字入力モードの切り替えが頻繁に行われない場合にはこの方が簡単な処理となり、同時に、ステップＳ２６２の省略により、キー操作間隔とは無関係にキー操作毎にバイブレーションでポジションを確認して確実に目的の文字の入力を行えるようにするためである。
【実施例４】
【００８４】
図２２は図２の第１の変形例であり、携帯電話機１００に関する回路構成の要部を示すブロック図である。
本図に示すＲＯＭ１１２の各キーと入力文字の対応格納部ＲＯＭ１１２Ａには、図１に示す「機能１」キーに対応して定型文の情報、「機能２」キーに対応して顔文字の情報、「機能３」キーに対応して絵文字の情報、「機能４」キーに対応して添付ピクチャーの情報、「機能５」キーに対応して添付サウンドの情報が追加して格納される。「機能６」キーは予備である。
【００８５】
さらに、本図２２に示すように、図２と比較して、ＲＯＭ１１２には、各キーと入力文字の対応格納部１１２Ａ、文字入力モードのポジション格納部１１２Ｂ、文字の基本ポジション格納部１１２Ｃ、大文字／小文字のポジション格納部１１２Ｄ、濁音／半濁音のポジション格納部１１２Ｅに対して、後述する定型文のポジション格納部１１２Ｆ、顔文字のポジション格納部１１２Ｇ、絵文字のポジション格納部１１２Ｈ、添付ピクチャーのポジション格納部１１２Ｉ、添付サウンドのポジション格納部１１２Ｊが追加して設けられる。
【００８６】
図２３は「機能１」キーから「機能５」キーと入力情報の対応を説明する図である。
本図に示すように、「機能１」キーから「機能５」キーに各種の入力情報のグループが対応し、キー操作毎に、グループに属する入力情報が巡回して切り替わる。
すなわち、「機能１」キーの操作毎に、定型文０（おはようございます）→定型文１（こんにちは）→定型文２（こんばんわ）→定型文３（さようなら）→定型文４（おやすみなさい）→定型文０（おはようございます）→…のように巡回して定型文の入力情報が切り替わる。
【００８７】
さらに、「機能２」キーの操作毎に、顔文字０；（^_‐）→顔文字１；（*_*）→顔文字２；（｀_´）→顔文字３；（^O^）→顔文字４；（-_-）zz→顔文字０；（^_‐）→…のように巡回して顔文字の入力情報が切り替わる。
さらに、「機能３」キーの操作毎に、絵文字０→絵文字１→絵文字２→絵文字３→絵文字４→絵文字０→…のように巡回して絵文字の入力情報が切り替わる。
【００８８】
さらに、「機能４」キーの操作毎に、添付ピクチャー０→添付ピクチャー１→添付ピクチャー２→添付ピクチャー３→添付ピクチャー４→添付ピクチャー０→…のように巡回して添付ピクチャーの入力情報が切り替わる。
さらに、「機能５」キーの操作毎に、添付サウンド０→添付サウンド１→添付サウンド２→添付サウンド３→添付サウンド４→添付サウンド０→…のように巡回して添付サウンドの入力情報が切り替わる。
【００８９】
図２４は図２２におけるＲＯＭ１１２の文字入力モードのポジション格納部１１２Ｂに追加して格納されるポジションを説明する図である。
本図（ａ）に示すように、定型文のポジション格納部１１２Ｆには、定型文０、定型文１、定型文２、定型文３、定型文４に対してポジション値０、１、２、３、４が格納される。
【００９０】
本図（ｂ）に示すように、顔文字のポジション格納部１１２Ｇには、顔文字０、顔文字１、顔文字２、顔文字３、顔文字４に対してポジション値０、１、２、３、４が格納される。
本図（ｃ）に示すように、絵文字のポジション格納部１１２Ｈには、絵文字０、絵文字１、絵文字２、絵文字３、絵文字４に対してポジション値０、１、２、３、４が格納される。
【００９１】
本図（ｄ）に示すように、添付ピクチャーのポジション格納部１１２Ｉには、添付ピクチャー０、添付ピクチャー１、添付ピクチャー２、添付ピクチャー３、添付ピクチャー４に対してポジション値０、１、２、３、４が格納される。
本図（ｅ）に示すように、添付サウンドのポジション格納部１１２Ｊには、添付サウンド０、添付サウンド１、添付サウンド２、添付サウンド３、添付サウンド４に対してポジション値０、１、２、３、４が格納される。
【００９２】
このようにして、携帯電話機１００の入力の特徴に応じたポジション情報を定義して具備するようにすることが可能になる。
【実施例５】
【００９３】
図２５は図２の第２の変形例であり、携帯電話機１００に関する回路構成の要部を示すブロック図である。
本図に示すように、図２と比較して、携帯電話機１００にはスピーカ１２３が追加して設けられ、スピーカ１２３は特に編集された文字のポジション情報をユーザに通知する。制御部１１１にはバス１２１を介してオーディオ制御部１２２が接続され、オーディオ制御部１２２はスピーカ１２３を制御し、後述する音声の種類設定部１２２Ａ、音声開始制御部１２２Ｂを有し、制御部１１１の入力確認支援部１１１Ａにより制御される。
【００９４】
なお、音声開始制御部１２２Ｂは図１０において、「バイブレーション」の記載を「音声の出力」の記載に置換することにより理解可能であるので新たに図面を用いる音声開始制御部１２２Ｂの説明は省略する。
図２６は図２５における音声の種類設定部１２２Ａにより設定される音声の種類を説明する図である。
【００９５】
本図に示すように、音声の種類設定部１２２Ａでは、ポジション値０、１、２、３、４に対してバイブレーションの種類ｃ０、ｃ１、ｃ２、ｃ３、ｃ４を設定する。
音声の種類ｃ０の場合には「ポジションチ・ゼロ」の音声を出力し、音声の種類ｃ１の場合には「ポジションチ・イチ」の音声を出力し、音声の種類ｃ２の場合には「ポジションチ・ニ」の音声を出力し、音声の種類ｃ３の場合には「ポジションチ・サン」の音声を出力し、音声の種類ｃ４の場合には「ポジションチ・シ（ヨン）」の音声を出力するように音声の種類設定部１２２Ａからスピーカ１２３に音声の種類の設定が行なわれる。
【００９６】
このようにして、バイブレーションに代わり、音声の出力により、ポジション値に対応する音声の種類から入力された文字を認識することが可能になる。
【実施例６】
【００９７】
図２７は図２の第３の変形例であり、携帯電話機１００に関する回路構成の要部を示すブロック図である。
本図に示すように、図２と比較して、ＲＯＭ１１２には、各キーと入力文字の対応格納部１１２Ａ、文字入力モードのポジション格納部１１２Ｂ、文字の基本ポジション格納部１１２Ｃ、大文字／小文字のポジション格納部１１２Ｄ、濁音／半濁音のポジション格納部１１２Ｅに対して、後述する各キーと音階の対応格納部１１２Ｋが追加して設けられる。
【００９８】
さらに、携帯電話機１００にはスピーカ１２３が追加して設けられ、スピーカ１２３は各キー操作に対して異なる音階の音を出力しユーザに通知する。制御部１１１にはバス１２１を介してオーディオ制御部１２２が接続され、オーディオ制御部１２２はスピーカ１２３を制御する。
図２８は図２７の各キーと音階の対応格納部１１２Ｋに格納される各キーと音階の対応を説明する図である。
【００９９】
本図に示すように、「通信」キーに「ト゛」、「クリア（ＣＬ）」キーに「レ」、「電源」キーに「ミ」、「１」キーに「ファ」、「２」キーに「ソ」、「３」キーに「ラ」、「４」キーに「シ」、「５」キーに「ド」、「６」キーに「レ」、「７」キーに「ミ」、「８」キーに「ファ」、「９」キーに「ソ」、「＊」キーに「ラ」、「０」キーに「シ」、「＃」キーに「ド」が各キーと音階の対応格納部１１２Ｋに格納される。
【０１００】
上記では、音階が低音から高音になるようにキー配列の横方向に上から下方向に音階を割り振ったが、縦方向に上から下方向に音階を割り振るようにしてもよい。また、逆に時キー配列の下から上方向に音階を割り振るようにしてもよい。
このようにして、各キーの位置を指の感覚ではなく、各キーの操作毎に音階のある音が出力されユーザに通知されるので、ユーザは各キー操作を検出することが可能になり、誤って操作した場合には操作し直しができ、誤入力を回避することが可能になる。
【産業上の利用可能性】
【０１０１】
上記では、携帯電話機の文字入力について説明を行ったが、ＰＨＳ、ＰＤＡ等の他の携帯端末装置でも同様に文字入力の支援を行うことが可能である。
【図面の簡単な説明】
【０１０２】
【図１】本発明に係る携帯端末装置としての携帯電話機の概略外観を示す図である。
【図２】図１における携帯電話機１００に関する回路構成の要部を示すブロック図である。
【図３】図２におけるＲＯＭ１１２の各キーと入力文字の対応格納部ＲＯＭ１１２Ａに格納される各キーと入力文字の対応を説明する図である。
【図４】図２におけるＲＯＭ１１２の文字入力モードのポジション格納部１１２Ｂに格納されるポジションを説明する図である。
【図５】図２におけるＲＯＭ１１２の文字の基本ポジション格納部１１２Ｃに格納されるポジションを説明する図である。
【図６】図２におけるＲＯＭ１１２の大文字／小文字のポジション格納部１１２Ｄに格納されるポジションを説明する図である。
【図７】図２におけるＲＯＭ１１２の濁点「゛」／半濁点「゜」のポジション格納部１１２Ｅに格納されるポジションを説明する図である。
【図８】図２におけるバイブレータ制御部１１９のバイブレーションの種類設定部１１９Ａにより設定されるバイブレーションの種類を説明する図である。
【図９】図２におけるバイブレータ制御部１１９のバイブレーション時間調節部１１９Ｂによりバイブレーションの種類ｂ４の場合に調節されるバイブレーション時間の例を説明する図である。
【図１０】図２におけるバイブレーション開始制御部１１９Ｃによりバイブレーション開始制御動作を説明する図である。
【図１１】図２における制御部１１１の入力確認支援部１１１Ａに関する一連の制御動作を説明するフローチャートである。
【図１２】図１１におけるステップＳ２０４のポジション初期化処理を説明するフローチャートである。
【図１３】図１１におけるステップＳ２０６のポジション処理１の例を説明するフローチャートである。
【図１４】図１３におけるポジション処理１の別の例を説明するフローチャートである。
【図１５】図１１におけるステップＳ２０８のポジション処理２の例を説明するフローチャートである。
【図１６】図１１におけるステップＳ２１０のポジション処理３の例を説明するフローチャートである。
【図１７】図１１におけるステップＳ２１１のポジション処理４の例を説明するフローチャートである。
【図１８】図２におけるバイブレータ制御部１１９の制御動作を説明するフローチャートである。
【図１９】図１８の第１の変形例であり、バイブレータ制御部１１９の制御動作を説明するフローチャートである。
【図２０】図１８の第２の変形例であり、バイブレータ制御部１１９の制御動作を説明するフローチャートである。
【図２１】図１８の第３の変形例であり、バイブレータ制御部１１９の制御動作を説明するフローチャートである。
【図２２】図２の第１の変形例であり、携帯電話機１００に関する回路構成の要部を示すブロック図である。
【図２３】「機能１」キーから「機能５」キーと入力情報の対応を説明する図である。
【図２４】図２２におけるＲＯＭ１１２の文字入力モードのポジション格納部１１２Ｂに追加して格納されるポジションを説明する図である。
【図２５】図２の第２の変形例であり、携帯電話機１００に関する回路構成の要部を示すブロック図である。
【図２６】図２５における音声の種類設定部１２２Ａにより設定される音声の種類を説明する図である。
【図２７】図２の第３の変形例であり、携帯電話機１００に関する回路構成の要部を示すブロック図である。
【図２８】図２７の各キーと音階の対応格納部１１２Ｋに格納される各キーと音階の対応を説明する図である。
【符号の説明】
【０１０３】
１００…携帯電話機
１１１…制御部
１１１Ａ…入力確認支援部
１１２…ＲＯＭ
１１２Ａ…各キーと文字入力の対応格納部
１１２Ｂ…文字入力モードのポジション格納部
１１２Ｃ…文字の基本ポジション格納部
１１２Ｄ…大文字／小文字のポジション格納部
１１２Ｅ…濁音／半濁音のポジション格納部
１１２Ｆ…定型文のポジション格納部
１１２Ｇ…顔文字のポジション格納部
１１２Ｈ…絵文字のポジション格納部
１１２Ｉ…添付ピクチャーのポジション格納部
１１２Ｊ…添付サウンドのポジション格納部
１１２Ｋ…各キーと音階の対応格納部
１１３…作業用メモリ
１１４…タイマ部
１１５…キー入力制御部
１１６…キー入力部
１１７…表示制御部
１１８…表示部
１１９…バイブレータ制御部
１１９Ａ…バイブレーションの種類設定部
１１９Ｂ…バイブレーション時間調節部
１１９Ｃバイブレーション開始時間調節部
１２０…バイブレータ作動部
１２１…バス
１２２…オーディオ制御部
１２２Ａ…音声の種類設定部
１２２Ｂ…音声開始制御部
１２３…スピーカ
【図１】
2005196424.tif 000003
【図２】
2005196424.tif 000004
【図３】
2005196424.tif 000005
【図４】
2005196424.tif 000006
【図５】
2005196424.tif 000007
【図６】
2005196424.tif 000008
【図７】
2005196424.tif 000009
【図８】
2005196424.tif 000010
【図９】
2005196424.tif 000011
【図１０】
2005196424.tif 000012
【図１１】
2005196424.tif 000013
【図１２】
2005196424.tif 000014
【図１３】
2005196424.tif 000015
【図１４】
2005196424.tif 000016
【図１５】
2005196424.tif 000017
【図１６】
2005196424.tif 000018
【図１７】
2005196424.tif 000019
【図１８】
2005196424.tif 000020
【図１９】
2005196424.tif 000021
【図２０】
2005196424.tif 000022
【図２１】
2005196424.tif 000023
【図２２】
2005196424.tif 000024
【図２３】
2005196424.tif 000025
【図２４】
2005196424.tif 000026
【図２５】
2005196424.tif 000027
【図２６】
2005196424.tif 000028
【図２７】
2005196424.tif 000029
【図２８】
2005196424.tif 000030